(57)【要約】【課題】簡単な構成で防水性能を備えた電気音響変換器を提供すること。【解決手段】電気音響変換器は、振動板と、振動板を囲むように振動板の周囲に配置されるフレームと、振動板とフレームとの間を膜を張るように塞ぎ、振動板とフレームとを接続するエッジと、フレームを支え、振動板の前方に貫通状の放音孔を有する基体と、フレームに取り付けられるマグネットと、振動板に取り付けられるボイスコイル体と、を備える。フレームは、振動板を囲むように振動板の周囲に配置される環状の第一嵌合部を有する。基体は、第一嵌合部と嵌合する第二嵌合部を有する。そして、電気音響変換器は、嵌め合わされた第一嵌合部と第二嵌合部との間を封止する熱可塑性物質からなる封止部材をさらに備える。【選択図】図１
2020018021.tif 000002
【特許請求の範囲】
【請求項１】
振動板と、
前記振動板の周囲に配置されるフレームと、
前記振動板と前記フレームとを接続するエッジと、
前記フレームを支える基体と、
前記フレームに取り付けられるマグネットと、
前記振動板に取り付けられるボイスコイル体と、を備え、
前記フレームは、前記振動板を囲むように前記振動板の周囲に配置される環状の第一嵌合部を有し、
前記基体は、前記第一嵌合部と嵌合する第二嵌合部を有し、
嵌め合わされた前記第一嵌合部と前記第二嵌合部との間を封止する封止部材をさらに備え、
前記エッジは、前記第一嵌合部と前記第二嵌合部と全周にわたって挟まれ、かつ、前記フレームの前記第一嵌合部の外側の位置まで配置される形状である、
電気音響変換器。
【請求項２】
前記第一嵌合部および前記第二嵌合部は、前記振動板の周縁部に沿って配置される周縁外側部と、前記周縁外側部よりも前記振動板に対して遠い位置に配置される遠方部と、を備える、
請求項１に記載の電気音響変換器。
【請求項３】
前記振動板と前記エッジとは一体である、
請求項１に記載の電気音響変換器。
【請求項４】
前記第一嵌合部および前記第二嵌合部は、前記振動板の周縁部に沿って配置される周縁外側部と、
前記周縁外側部よりも前記振動板に対して遠い位置に配置される遠方部と、を備え、
前記フレームは、前記第二嵌合部の遠方部の近傍に前記ボイスコイル体に接続されるリード線を通す引出孔を備える、
請求項１に記載の電気音響変換器。
【請求項５】
前記第一嵌合部および前記第二嵌合部は、
前記振動板の周縁部に沿って配置される周縁外側部と、
前記周縁外側部よりも前記振動板に対して遠い位置に配置される遠方部と、を備え、
前記第二嵌合部は溝状であり、
前記基体は、前記第二嵌合部の前記遠方部において前記第二嵌合部と連通する始端溝と終端溝とを備える、
請求項１に記載の電気音響変換器。
【請求項６】
前記第一嵌合部、または、前記第二嵌合部は、開放端に向かうに従い前記振動板から遠ざかる傾斜側壁を備える溝である、
請求項１に記載の電気音響変換器。
【請求項７】
前記基体には、前記振動板から放出される音を反響させる反響板が取り付けられている、
請求項１に記載の電気音響変換器。
【請求項８】
請求項１に記載の電気音響変換器を備え、前記基体は、表示パネルを保持する、
表示装置。
【請求項９】
前記基体には、前記振動板から放出される音を反響させる反響板が取り付けられている、
請求項８に記載の表示装置。
【請求項１０】
音を電気信号に変換する電気音響変換器であって、
振動板と、
前記振動板の周囲に配置されるフレームと、
前記振動板と前記フレームとを接続するエッジと、
前記フレームを支える基体と、
前記フレームに取り付けられるマグネットと、
前記振動板に取り付けられるボイスコイル体と、
を備え、
前記フレームは、前記振動板を囲むように前記振動板の周囲に配置される環状の第一嵌合部を有し、
前記基体は、前記第一嵌合部と嵌合する第二嵌合部を有し、
嵌め合わされた前記第一嵌合部と前記第二嵌合部との間を封止する封止部材をさらに備え、
前記エッジは、前記第一嵌合部と前記第二嵌合部と全周にわたって挟まれ、かつ、前記フレームの前記第一嵌合部の外側の位置まで配置される形状である、
電気音響変換器。
【発明の詳細な説明】
【技術分野】
【０００１】
本開示は、ラウドスピーカやマイクロフォンなど電気信号を音に変換する、または、音を電気信号に変換する電気音響変換器に関し、特に防水性能を備えた電気音響変換器に関する。
【背景技術】
【０００２】
屋外や風呂の中、水辺などで使用されるラウドスピーカやマイクロフォンなどの電気音響変換器は、防水性能や防塵性能が必要となる。
【０００３】
例えば、特許文献１には、スピーカの前を特殊なフィルムで覆って、防水性能を確保しつつ音響特性の低下を抑制する技術が開示されている。
【０００４】
このような防水性能を備えた電気音響変換器では、フレームと基体とでゴムパッキンを挟み込み、さらに締結部材を締め込むことでゴムパッキンを圧縮して防水性能を確保している。また、さらに防水性能を確保するために、接着剤や防水両面テープを用いてゴムパッキンとフレームとの間やゴムパッキンと基体との間を接続している。
【先行技術文献】
【特許文献】
【０００５】
【特許文献１】特開２０１４−８２５３４号公報
【発明の概要】
【０００６】
本開示は、簡単な構成で防水性能を確保しうる電気音響変換器、および、当該電気音響変換器を備えた表示装置を提供する。
【０００７】
本開示における電気音響変換器は、電気信号と音とを相互に変換する電気音響変換器である。電気音響変換器は、振動板と、振動板を囲むように振動板の周囲に配置されるフレームと、振動板とフレームとの間を膜を張るように塞ぎ、振動板とフレームとを接続するエッジと、フレームを支え、振動板の前方に貫通状の放音孔を有する基体と、フレームに取り付けられるマグネットと、振動板に取り付けられるボイスコイル体と、を備える。フレームは、振動板を囲むように振動板の周囲に配置される環状の第一嵌合部を有する。基体は、第一嵌合部と嵌合する第二嵌合部を有する。そして、電気音響変換器は、嵌め合わされた第一嵌合部と第二嵌合部との間を封止する熱可塑性物質からなる封止部材をさらに備える。
【０００８】
本開示によれば、簡単な構成で防水性能を備えた電気音響変換器を実現することが可能となり、当該電気音響変換器を備えた表示装置を提供することが可能となる。
【図面の簡単な説明】
【０００９】
【図１】図１は、実施の形態１におけるラウドスピーカの一例を分解した状態で示す斜視図である。
【図２】図２は、実施の形態１におけるラウドスピーカの一例をフレーム側から示す平面図である。
【図３】図３は、図２に示すラウドスピーカをＡ−Ａ線で切断して示す断面図である。
【図４】図４は、図２のＡ−Ａ線で切断したラウドスピーカの遠方部側を示す断面図である。
【図５】図５は、実施の形態１における基体の第二嵌合部の一例を示す平面図である。
【図６】図６は、実施の形態２における表示装置の端部を切り欠いて示す斜視図である。
【図７】図７は、図６に示す表示装置のＣ−Ｃ線の断面図である。
【図８】図８は、他の実施の形態におけるラウドスピーカの一例を示す断面図である。
【発明を実施するための形態】
【００１０】
本開示に係る電気音響変換器の実施の形態について、図面を参照しつつ説明する。なお、以下の実施の形態は、本開示に係る電気音響変換器の一例を示したものに過ぎない。従って本開示は、以下の実施の形態を参考に請求の範囲の文言によって範囲が画定されるものであり、以下の実施の形態のみに限定されるものではない。よって、以下の実施の形態における構成要素のうち、本開示の最上位概念を示す独立請求項に記載されていない構成要素については、本開示の課題を達成するのに必ずしも必要ではないが、より好ましい形態を構成するものとして説明される。
【００１１】
また、図面は、本開示を示すために適宜強調や省略、比率の調整を行った模式的な図となっており、実際の形状や位置関係、比率とは異なる場合がある。
【００１２】
（実施の形態１）
本実施の形態では、電気音響変換器の一つであるラウドスピーカ１００を例示して説明する。
【００１３】
（１−１．構成）
図１は、実施の形態１におけるラウドスピーカの一例を分解した状態で示す斜視図である。
【００１４】
図２は、実施の形態１におけるラウドスピーカの一例をフレーム側から示す平面図である。
【００１５】
図３は、図２に示すラウドスピーカをＡ−Ａ線で切断して示す断面図である。
【００１６】
図４は、図２のＡ−Ａ線で切断したラウドスピーカの遠方部側を示す断面図である。
【００１７】
これらの図に示すように、ラウドスピーカ１００は、振動板１０１と、フレーム１０２と、エッジ１０３と、基体１０４と、マグネット１０５と、ボイスコイル体１０６と、を備えている。ラウドスピーカ１００は、入力された電気信号（音声信号）に基づき音を空間中に放出することができる装置である。
【００１８】
振動板１０１は、電気信号に基づき中立位置を基準に前後方向（図中Ｚ軸方向、振動板１０１の厚み方向）に変位することにより空気を振動させ、音を発生させる部材である。本実施の形態の場合、振動板１０１は、円形の平板状となっており、コーン型の振動板に比べて薄い形状となっている。これによりラウドスピーカ１００全体を薄くすることが可能となる。
【００１９】
また、振動板１０１のフレーム１０２に面する側には、ボイスコイル体１０６が取り付けられている。ボイスコイル体１０６は、後述の磁気ギャップ内に一方の端部が配置され、他方の端部が振動板１０１に結合される部品である。ボイスコイル体１０６は、入力される電気信号に基づき磁束を発生させ、マグネット１０５との相互作用により振動板１０１を振動させることができる部品である。
【００２０】
本実施の形態の場合、ボイスコイル体１０６は、ボビンと、ボビンに巻き付けられたコイルと、を備えている。ボビンはアルミニウムや樹脂等の材料から構成されている。
【００２１】
振動板１０１を構成する材料は特に限定されるものではないが、例えば、ポリエチレンナフタレート樹脂を例示できる。なお、振動板１０１は、応答特性などを考慮して、発泡樹脂などからなる硬質で軽量な芯材を備えてもよい。また、アルミニウムや、チタン、あるいはカーボンなどからなる補強材層を設けてもよい。
【００２２】
また、振動板１０１の形状は、円形に限定されるものではなく、正方形、長方形、楕円、または長円など任意の形状を有していてもよい。また、振動板１０１は平板に限定されるものではなく、コーン形状など立体的な形状であってもよい。
【００２３】
フレーム１０２は、振動板１０１を囲むように配置される構造部材である。フレーム１０２は、振動板１０１を囲むように配置される環状の第一嵌合部１２１を備えている。本実施の形態の場合、フレーム１０２は、第一嵌合部１２１の内側に、マグネット１０５を保持するマグネット保持部１２２と、エッジ保持部１２３と、ボイスコイル体１０６に接続されるリード線１６１（図２に記載）を引き出す引出孔１２４と、を備えている（図２、図４参照）。また、マグネット保持部１２２を囲むように配置される複数の貫通孔１２５も設けられている。
【００２４】
本実施の形態の場合、フレーム１０２は、第一嵌合部１２１、マグネット保持部１２２、エッジ保持部１２３などが一体に成形されている。具体的には、フレーム１０２は、亜鉛メッキ鋼板などの鉄を主成分とする板金をプレス加工することにより成形され、第一嵌合部１２１とマグネット保持部１２２とエッジ保持部１２３とが一体に成形されている。
【００２５】
第一嵌合部１２１は、基体１０４に設けられた第二嵌合部１４２（後述）と協働して基体１０４側から振動板１０１の裏側への液体の進入を防止する部分である。本実施の形態の場合、第一嵌合部１２１は、基体１０４側に向かって突出する環状の突条である。
【００２６】
具体的には、本実施の形態の場合、第一嵌合部１２１は、振動板１０１の周縁部から第一距離離れた位置で振動板１０１の周縁に沿って配置される周縁外側部１２６と、周縁外側部１２６よりも振動板１０１に対して第一距離よりも遠い第二距離離れた位置に配置される遠方部１２７と、を備えた形状を有する。つまり、第一嵌合部１２１の全ての部分が、振動板１０１の周縁形状に対応した環形状というわけではなく、第一嵌合部１２１は、振動板１０１から離れた位置に一部が配置された形状となっている。
【００２７】
このように第一嵌合部１２１の一部に遠方部１２７を設けることにより、特別な防水構造を設けることなく簡単な引出孔１２４等を設けるだけで、ボイスコイル体１０６に接続されるリード線１６１をラウドスピーカ１００から外に配線することができる。なお、フレーム１０２のエッジ１０３とは反対の面には、フレーム１０２から引き出されたリード線１６１が電気的に接続された電極１７１を保持する電極基板１０７が取り付けられている。
【００２８】
エッジ保持部１２３は、エッジ１０３を保持するフレーム１０２の一部分である。本実施の形態の場合、エッジ保持部１２３は、振動板１０１の周縁部と第一嵌合部１２１との間に配置されており、振動板１０１の周縁形状に対応した環形状である。また、エッジ保持部１２３は、エッジ保持部１２３の内周縁と振動板１０１の外周縁との隙間が第三距離となるように配置されており、振動板１０１の音放出面と平行な保持面を備えている。
【００２９】
マグネット保持部１２２は、ボイスコイル体１０６を駆動する磁力を発生させるマグネット１０５を保持するフレーム１０２の部分である。本実施の形態の場合、マグネット１０５は円柱形状であるため、マグネット保持部１２２は、マグネット１０５を収容しうる有底の円筒形状となっている。また、マグネット保持部１２２とマグネット１０５との間にはボイスコイル体１０６が挿入される磁気ギャップが形成されている。以上のように、フレーム１０２のマグネット保持部１２２、および、マグネット保持部１２２に収容されるマグネットにより、磁気回路が形成されている。
【００３０】
エッジ１０３は、振動板１０１とフレーム１０２のエッジ保持部１２３との間の隙間を、膜を張るように塞ぐ。エッジ１０３は、フレーム１０２に対し振動板１０１を取り付ける部材であり、可撓性と復元性を備えた膜状の部材である。またエッジ１０３は、振動板１０１の周縁部に沿って突条となるように膨出する環状の膨出部１３１を備えている。エッジ１０３は、振動板１０１が大きく振動する場合でも、膨出部１３１が変形することにより当該振動を許容する。
【００３１】
本実施の形態の場合、エッジ１０３は、平面な平面部１３２を備えている。平面部１３２は、フレーム１０２のエッジ保持部１２３と接着されている。また、エッジ１０３は、フレーム１０２の第一嵌合部１２１の外側の位置まで延びて配置されている。エッジ１０３によって環状の第一嵌合部１２１の全体が覆われている。
【００３２】
さらに本実施の形態の場合、エッジ１０３と振動板１０１とは、一体に成形されており、その一体成形された部材は、全体として環状の凹凸を有する膜状の部材となっている。以上により、フレーム１０２の第一嵌合部１２１、および、その内側は、一体にされたエッジ１０３と振動板１０１とにより覆われた状態となり、フレーム１０２が露出しない状態となる。従って、フレーム１０２を耐薬品性や防錆性能が劣る材料で構成することが可能となり、フレーム１０２設計の自由度を向上させることができる。例えば、本実施の形態では、フレーム１０２を板金の一体加工で形成することができ、製造の容易化やコストの削減、フレーム１０２の軽量化などを容易に図ることが可能となる。
【００３３】
基体１０４は、フレーム１０２を支え、振動板１０１の前方に貫通状の放音孔１４１を有する構造部材である。基体１０４は、第一嵌合部１２１と嵌合する第二嵌合部１４２を備えている。基体１０４は、例えばフレーム１０２を所定の位置で保持する木製や樹脂製のキャビネットなどである。
【００３４】
第二嵌合部１４２は、フレーム１０２に設けられた第一嵌合部１２１（後述）と協働して基体１０４側から振動板１０１の裏側への液体の進入を防止する部分である。本実施の形態の場合、第二嵌合部１４２は、フレーム１０２側に向かって開口する環状の溝である。
【００３５】
具体的には、本実施の形態の場合、第二嵌合部１４２の形状は、第一嵌合部１２１に対応する形状である。第二嵌合部１４２は、振動板１０１の周縁に沿って配置される周縁外側部１４６と、遠方部１４７と、を備えた形状を有する。
【００３６】
また、第二嵌合部１４２の遠方部１４７には、製造を容易にするために、第二嵌合部１４２と連通する始端溝１４３と終端溝１４４とが第二嵌合部１４２から突出するように設けられている。
【００３７】
また、ラウドスピーカ１００は、嵌め合わされた第一嵌合部１２１と第二嵌合部１４２との間を封止する封止部材１０８（図３に記載）を備えている。封止部材１０８は、熱可塑性樹脂や熱可塑性ゴムなどの熱可塑性物質からなる。本実施の形態の場合、フレーム１０２の第一嵌合部１２１と基体１０４の第二嵌合部１４２との全周にわたって挟まれたエッジ１０３、および、封止部材１０８、さらにエッジ１０３と一体の振動板１０１とにより、基体１０４の放音孔１４１が封止されている。そのため、放音孔１４１からマグネット１０５側への水などの液体の進入を防止することが可能となる。
【００３８】
次に、電気音響変換器であるラウドスピーカ１００の製造方法について図１〜図５を用いて説明する。
【００３９】
図５は、実施の形態１における基体の第二嵌合部の一例を示す平面図である。図５には、封止部材の塗布の流れを示す。
【００４０】
まず、フレーム１０２のマグネット保持部１２２にマグネット１０５を取り付ける。一方、エッジ１０３と一体の振動板１０１に、ボイスコイル体１０６を取り付ける。
【００４１】
次に、リード線１６１を、ボイスコイル体１０６から、引出孔１２４を通過してフレーム１０２外の電極基板１０７まで配線する。その後、エッジ１０３を第一嵌合部１２１の全体を覆うように配置し、第一嵌合部１２１およびエッジ保持部１２３とエッジ１０３とを接着する。なお、図３、図４に示すように、エッジ１０３の外周縁は剥がれやすいため、接着剤で補強してもよい。以上によりスピーカユニットが組み立てられる。
【００４２】
次に、基体１０４の第二嵌合部１４２に、溶融状態の封止部材１０８を充填する。このとき、封止部材１０８は、ディスペンサーから吐出されながら連続的に第二嵌合部１４２内に塗布される。具体的には、図５に示すように、ディスペンサーは、まず第二嵌合部１４２から離れた位置の始端溝１４３に封止部材１０８を塗布する。次に、ディスペンサーは、第二嵌合部１４２に向かうように基体１０４に対して移動しながら、封止部材１０８を吐出して溝に充填していく。ディスペンサーは、第二嵌合部１４２に到達すると、封止部材１０８を吐出しながら第二嵌合部１４２に沿って周回し、再び遠方部１４７に到達する。最後に、ディスペンサーは、第二嵌合部１４２から終端溝１４４へ抜け出た状態で封止部材１０８の吐出を終了する。
【００４３】
以上によって、第二嵌合部１４２の全周にわたって途切れることなく封止部材１０８を充填することができ、高い液密状態を確保することが可能となる。
【００４４】
次に、先に組み立てられたスピーカユニットを、第一嵌合部１２１がエッジ１０３を挟んで第二嵌合部１４２に嵌め合うように、基体１０４に取り付ける。第一嵌合部１２１と第二嵌合部１４２との嵌め合いは、完全に嵌め合うのではなく、封止部材１０８が充填される程度の隙間が発生するように、嵌め合わされる。
【００４５】
ここで、図３、図４に示すように、第二嵌合部１４２は、第一嵌合部１２１がはめ込まれる開放端に向かう（図中Ｚ軸正の向き）に従い、振動板１０１から遠ざかる傾斜側壁１４９を備えている。これにより、封止部材１０８は、第一嵌合部１２１の内側よりも外側に向かって押し出される。したがって、内側に漏れ出た封止部材１０８によりエッジ１０３等が影響され、音響特性が悪化するような状態を回避することができる。
【００４６】
さらに、遠方部１４７の先端は、ディスペンサーが２回通過し、周縁外側部１４６よりも多くの封止部材１０８が塗布されるが、封止部材１０８の塗布量が多い部分と振動板１０１との距離が他よりも長い。そのため、仮に遠方部１４７の先端において封止部材１０８が第一嵌合部１２１の内側に漏れ出たとしても、音響性能に大きな影響を与えることを回避することができる。
【００４７】
最後に、基体１０４とフレーム１０２とを、図示しないボルトなどの締結部材で締結することにより、ラウドスピーカ１００が製造される。
【００４８】
（１−２．効果等）
以上のように、本実施の形態において、電気音響変換器は、電気信号と音とを相互に変換する電気音響変換器である。電気音響変換器は、振動板と、振動板を囲むように振動板の周囲に配置されるフレームと、振動板とフレームとの間を膜を張るように塞ぎ、振動板とフレームとを接続するエッジと、フレームを支え、振動板の前方に貫通状の放音孔を有する基体と、フレームに取り付けられるマグネットと、振動板に取り付けられるボイスコイル体と、を備える。フレームは、振動板を囲むように振動板の周囲に配置される環状の第一嵌合部を有する。基体は、第一嵌合部と嵌合する第二嵌合部を有する。そして、電気音響変換器は、嵌め合わされた第一嵌合部と第二嵌合部との間を封止する熱可塑性物質からなる封止部材をさらに備える。
【００４９】
なお、ラウドスピーカ１００は電気音響変換器の一例である。振動板１０１は振動板の一例である。フレーム１０２はフレームの一例である。エッジ１０３はエッジの一例である。放音孔１４１は放音孔の一例である。基体１０４は基体の一例である。マグネット１０５はマグネットの一例である。ボイスコイル体１０６はボイスコイル体の一例である。第一嵌合部１２１は第一嵌合部の一例である。第二嵌合部１４２は第二嵌合部の一例である。封止部材１０８は封止部材の一例である。
【００５０】
例えば、実施の形態１に示した例では、ラウドスピーカ１００は、振動板１０１と、振動板１０１を囲むように振動板１０１の周囲に配置されるフレーム１０２と、振動板１０１とフレーム１０２との間を膜を張るように塞ぎ、振動板１０１とフレーム１０２とを接続するエッジ１０３と、フレーム１０２を支え、振動板１０１の前方に貫通状の放音孔１４１を有する基体１０４と、フレーム１０２に取り付けられるマグネット１０５と、振動板１０１に取り付けられるボイスコイル体１０６と、を備える。フレーム１０２は、振動板１０１を囲むように振動板１０１の周囲に配置される環状の第一嵌合部１２１を有する。基体１０４は、第一嵌合部１２１と嵌合する第二嵌合部１４２を有する。そして、ラウドスピーカ１００は、嵌め合わされた第一嵌合部１２１と第二嵌合部１４２との間を封止する熱可塑性物質からなる封止部材１０８をさらに備える。
【００５１】
電気音響変換器において、第一嵌合部および第二嵌合部の各々は、振動板の周縁部に沿って配置される周縁外側部と、周縁外側部よりも振動板に対して遠い位置に配置される遠方部と、を備えてもよい。
【００５２】
なお、周縁外側部１２６は、第一嵌合部が有する周縁外側部の一例である。周縁外側部１４６は、第二嵌合部が有する周縁外側部の一例である。遠方部１２７は、第一嵌合部が有する遠方部の一例である。遠方部１４７は、第二嵌合部が有する遠方部の一例である。
【００５３】
例えば、実施の形態１に示した例では、ラウドスピーカ１００において、第一嵌合部１２１は、振動板１０１の周縁部に沿って配置される周縁外側部１２６と、周縁外側部１２６よりも振動板１０１に対して遠い位置に配置される遠方部１２７と、を備える。第二嵌合部１４２は、振動板１０１の周縁部に沿って配置される周縁外側部１４６と、周縁外側部１４６よりも振動板１０１に対して遠い位置に配置される遠方部１４７と、を備える。
【００５４】
電気音響変換器において、振動板とエッジとは一体であってもよい。
【００５５】
例えば、実施の形態１に示した例では、ラウドスピーカ１００において、振動板１０１とエッジ１０３とは一体である。
【００５６】
電気音響変換器において、エッジは第一嵌合部と第二嵌合部との全周にわたって挟まれる位置にまで拡がる形状であってもよい。
【００５７】
例えば、実施の形態１に示した例では、ラウドスピーカ１００において、エッジ１０３は第一嵌合部１２１と第二嵌合部１４２との全周にわたって挟まれる位置にまで拡がる形状である。
【００５８】
電気音響変換器において、ボイスコイル体に接続されるリード線は、遠方部の内方からフレーム外に配線されてもよい。
【００５９】
なお、リード線１６１はリード線の一例である。
【００６０】
例えば、実施の形態１に示した例では、ラウドスピーカ１００において、ボイスコイル体１０６に接続されるリード線１６１は、遠方部１２７の内方からフレーム１０２の外に配線されている。
【００６１】
電気音響変換器において、第二嵌合部の近傍の振動板側のフレームには、ボイスコイル体に接続されるリード線を引き出す引出孔が設けられてもよい。
【００６２】
なお、引出孔１２４は引出孔の一例である。
【００６３】
例えば、実施の形態１に示した例では、ラウドスピーカ１００において、第二嵌合部１４２の近傍の振動板１０１側のフレーム１０２には、ボイスコイル体１０６に接続されるリード線１６１を引き出す引出孔１２４が設けられている。
【００６４】
電気音響変換器において、第二嵌合部は溝状であってもよい。基体は、第二嵌合部の遠方部において第二嵌合部と連通する始端溝と終端溝とを備えていてもよい。
【００６５】
なお、始端溝１４３は始端溝の一例である。終端溝１４４は終端溝の一例である。
【００６６】
例えば、実施の形態１に示した例では、ラウドスピーカ１００において、第二嵌合部１４２は溝状である。基体１０４は、第二嵌合部１４２の遠方部１４７において第二嵌合部１４２と連通する始端溝１４３と終端溝１４４とを備えている。
【００６７】
電気音響変換器において、第一嵌合部、または、第二嵌合部は、開放端に向かうに従い振動板から遠ざかる傾斜側壁を備える溝であってもよい。
【００６８】
なお、傾斜側壁１４９は傾斜側壁の一例である。
【００６９】
例えば、実施の形態１に示した例では、ラウドスピーカ１００において、第二嵌合部１４２は、開放端に向かうに従い振動板１０１から遠ざかる傾斜側壁１４９を備える溝である。
【００７０】
例えば特許文献１に開示された技術のような従来技術では、ゴムパッキンなどを圧縮して防水性能を確保する場合、構成が複雑で部品点数が多くなり製造工程が多くなる。また、環状のゴムパッキンを均等に圧縮する必要があるため、フレームや基体にある程度の剛性が要求され軽量化が困難になる。さらに、ゴムパッキンを接着剤で貼り付けると、部品交換が困難になる。
【００７１】
しかし、以上のように構成された電気音響変換器は、従来技術と比較して簡単な構成で防水性能を備えることができる。例えば、ラウドスピーカ１００では、製造の容易化やコストの削減、フレーム１０２の軽量化などが可能である。そして、基体１０４側から振動板１０１の裏側への液体の進入を防止し、放音孔１４１からマグネット１０５側への液体の進入を防止することが可能である。
【００７２】
（実施の形態２）
続いて、実施の形態１で説明したラウドスピーカ１００のような電気音響変換器を備えた表示装置２００の実施の形態について説明する。なお、実施の形態２では、実施の形態１に示した構成要素と同様の作用や機能、または同様の形状や機構や構造を有するもの（部分）には、その構成要素と同じ符号を付与して説明を省略する場合がある。また、以下では、実施の形態１と異なる点を中心に説明し、実施の形態１と同じ内容については説明を省略する場合がある。
【００７３】
（２−１．構成）
図６は、実施の形態２における表示装置２００の端部を切り欠いて示す斜視図である。
【００７４】
図７は、図６に示す表示装置２００のＣ−Ｃ線の断面図である。
【００７５】
これらの図に示すように、表示装置２００は、画像や動画を表示すると共に、音声を出すことができる装置である。表示装置２００は、例えば、可搬性を備えたテレビジョン受信機や、タブレットコンピュータ、スマートフォンなどである。表示装置２００は、表示パネル２０１と、反響板２０２と、基体１０４と、ラウドスピーカ１００と、を備えている。
【００７６】
表示パネル２０１は、入力された映像信号に基づき画像や映像を表示することができる装置である。表示パネル２０１は、例えば液晶表示パネルや、有機ＥＬ（Ｅｌｅｃｔｒｏ  Ｌｕｍｉｎｅｓｃｅｎｃｅ）表示パネルなどである。
【００７７】
基体１０４は、ラウドスピーカ１００の構成要素の一つである。本実施の形態の場合、基体１０４は、表示パネル２０１も保持している。本実施の形態の場合、基体１０４は、矩形の箱型形状である。基体１０４は、表面部２１１に表示パネル２０１が取り付けられ、裏面部２１２の下部にラウドスピーカ１００が取り付けられている。
【００７８】
なお、基体１０４では、表面部２１１に対して裏面部２１２が着脱可能に取り付けられている。裏面部２１２には、２台のラウドスピーカ１００と、複数の機器と、が取り付けられている。
【００７９】
反響板２０２は、放音孔１４１に対して振動板１０１とは反対の側に配置されている。反響板２０２は、放音孔１４１を、放音孔１４１から隙間を空けて覆う部材である。本実施の形態の場合、ラウドスピーカ１００は、表示装置２００の裏面に向かって音を放出する。そのため、反響板２０２がなければ、表面側から表示パネル２０１を見ている使用者には音が聞こえにくくなる。反響板２０２は、ラウドスピーカ１００から裏面に向かって放出された音を反響させ、反響板２０２と基体１０４との間に形成された音道によって音を表面側に導く。
【００８０】
さらに、表示装置２００では、反響板２０２により、振動板１０１が外部に直接露出していない。そのため、表示装置２００に水などの液体がかかっても、振動板１０１に液体が直接あたることが避けられる。これにより、ラウドスピーカ１００の防水性能を向上することが可能となる。
【００８１】
（２−２．効果等）
以上のように、本実施の形態において、表示装置は、電気音響変換器を備え、基体は、表示パネルを保持する。
【００８２】
なお、表示装置２００は表示装置の一例である。ラウドスピーカ１００は電気音響変換器の一例である。基体１０４は基体の一例である。表示パネル２０１は表示パネルの一例である。
【００８３】
例えば、実施の形態２に示した例では、表示装置２００は、ラウドスピーカ１００を備え、基体１０４は、表示パネル２０１を保持する。
【００８４】
電気音響変換器において、基体には、振動板と反対側に、放音孔を隙間を空けて覆う反響板が取り付けられていてもよい。
【００８５】
なお、反響板２０２は反響板の一例である。
【００８６】
例えば、実施の形態２に示した例では、ラウドスピーカ１００において、基体１０４には、振動板１０１と反対側に、放音孔１４１を隙間を空けて覆う反響板２０２が取り付けられている。
【００８７】
実施の形態２にかかる表示装置２００では、以上のように構成されることで、防水性能の高い表示装置２００を実現することが可能となる。
【００８８】
さらに、表示装置２００では、ラウドスピーカ１００から表示装置２００の裏面に向かって放出される音を、表面側から表示パネル２０１を見ている使用者に聞きやすくすることができる。
【００８９】
さらに、表示装置２００の基体１０４の一部である裏面部２１２に、溝状の第二嵌合部１４２が設けられており、さらに他の機器を取り付けるための取付溝も裏面部２１２に設けられている場合、裏面部２１２の各溝に対し、連続的に封止部材１０８を塗布することができる。これにより、表示装置２００の生産効率を向上させることが可能となる。
【００９０】
（他の実施の形態）
以上のように、本開示における技術の例示として、実施の形態１および２を説明した。そのために、添付図面および詳細な説明を提供した。
【００９１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９２】
このように、本開示は、上記実施の形態に限定されるものではない。例えば、本明細書において記載した構成要素を任意に組み合わせて、また、構成要素のいくつかを除外して実現される別の実施の形態を本開示の実施の形態としてもよい。また、上記実施の形態に対して本開示の主旨、すなわち、請求の範囲に記載される文言が示す意味を逸脱しない範囲で当業者が思いつく各種変形を施して得られる変形例も本開示に含まれる。
【００９３】
そこで、以下、他の実施の形態を例示する。
【００９４】
例えば、上記実施の形態では、第一嵌合部１２１を突条、第二嵌合部１４２を溝とする構成例を示したが、突条と溝とは互いに逆であってもかまわない。
【００９５】
また、上記実施の形態では、振動板１０１とエッジ１０３とが一体となっている構成例を説明したが、振動板１０１とエッジ１０３とは別体であってもよい。この場合、振動板１０１とエッジ１０３とを接着剤を用いて互いに貼り合わせる構成や、溶着する構成などが考えられる。
【００９６】
また、上記実施の形態では、電気音響変換器の一例としてラウドスピーカ１００を示したが、電気音響変換器は、音を電気信号に変換するマイクやセンサであってもよい。
【００９７】
また、上記実施の形態では、振動板１０１、マグネット１０５、およびボイスコイル体１０６の形状を平面視で円形のものとして説明したが、それらは何らこの形状に限定されない。それらの部材は、平面視で楕円形状や、矩形状であってもよい。
【００９８】
また、磁気回路は、内磁型の磁気回路に限定されない。磁気回路は、外磁型であってもよく、内磁型と外磁型とを組み合わせた構造でもよい。
【００９９】
また、マグネット１０５には、サマリウム鉄系マグネット、フェライト系マグネットなど任意のマグネットを採用することができる。
【０１００】
図８は、他の実施の形態におけるラウドスピーカの一例を示す断面図である。例えば、図８に示すように、第一嵌合部１２１と第二嵌合部１４２との間にエッジ１０３が挟まれていなくても、振動板１０１とエッジ１０３とフレーム１０２と封止部材１０８とに基づき放音孔１４１からマグネット側への液体の進入を防止することができる。この場合、フレーム１０２に直接液体が接触するため、フレーム１０２は、接触する液体に対し安定した物質で構成されることが望ましい。例えば、液体が水である場合、フレーム１０２は樹脂などで形成されてもよい。
【０１０１】
上記実施の形態は、本開示における技術を例示するためのものであるから、請求の範囲またはその均等の範囲において種々の変更、置き換え、付加、省略などを行うことができる。
【産業上の利用可能性】
【０１０２】
本開示は、電気音響変換器および表示装置に適用可能である。本開示にかかる電気音響変換器および表示装置は、屋外や風呂などの水がかかる状況下においても利用することが可能である。
【符号の説明】
【０１０３】
１００    ラウドスピーカ（電気音響変換器）
１０１    振動板
１０２    フレーム
１０３    エッジ
１０４    基体
１０５    マグネット
１０６    ボイスコイル体
１０７    電極基板
１０８    封止部材
１２１    第一嵌合部
１２２    マグネット保持部
１２３    エッジ保持部
１２４    引出孔
１２５    貫通孔
１２６，１４６    周縁外側部
１２７，１４７    遠方部
１３１    膨出部
１３２    平面部
１４１    放音孔
１４２    第二嵌合部
１４３    始端溝
１４４    終端溝
１４９    傾斜側壁
１６１    リード線
１７１    電極
２００    表示装置
２０１    表示パネル
２０２    反響板
２１１    表面部
２１２    裏面部
【図１】
2020018021.tif 000003
【図２】
2020018021.tif 000004
【図３】
2020018021.tif 000005
【図４】
2020018021.tif 000006
【図５】
2020018021.tif 000007
【図６】
2020018021.tif 000008
【図７】
2020018021.tif 000009
【図８】
2020018021.tif 000010